(57)【要約】【課題】特に、複数のアングルの画像を複数の表示装置にそれぞれ表示する場合において、複数のアングルの画像を、表示装置に効率的に表示させる。【解決手段】アングル数取得部１２２は、マルチアングル画像データのアングルの数を取得し、割り当て部１２３に供給する。割り当て部１２３は、そのアングルの数に基づいて、複数の画像表示装置それぞれに対して、複数のアングルのマルチアングル画像データのいずれかを、表示対象として割り当てるとともに、その表示対象の表示形態を割り当てる。割り当て部１２３は、その割り当てた結果を表す割り当て情報を、複数の画像表示装置に供給し、複数の画像表示装置それぞれに、割り当てられた表示対象を、割り当てられた表示形態で表示させる。本発明は、例えば、マルチアングル画像を再生する再生装置に適用することができる。【選択図】図５
2006042134.tif 000002
【特許請求の範囲】
【請求項１】
複数のアングルの画像を表示する複数の表示手段を制御する情報処理装置において、
前記アングルの数を取得するアングル数取得手段と、
前記アングル数取得手段により取得された前記アングルの数に基づいて、複数の前記表示手段それぞれに対して、複数の前記アングルの画像のいずれかを、表示対象として割り当てるとともに、その表示対象の表示形態を割り当てる割当手段と、
複数の前記表示手段それぞれに、前記割当手段により割り当てられた表示対象を、前記割当手段により割り当てられた表示形態で表示させる表示制御手段と
を備えることを特徴とする情報処理装置。
【請求項２】
前記割当手段は、動画で表示する表示形態、静止画で表示する表示形態、または拡大して表示する表示形態を割り当てる
ことを特徴とする請求項１に記載の情報処理装置。
【請求項３】
前記動画で表示する画像のアングルの変更を指令する指令手段
をさらに備え、
前記表示制御手段は、少なくとも１つの表示手段に、前記割当手段により割り当てられた表示対象を動画で表示させる場合、前記指令手段により指令された前記動画で表示するアングルの画像を、その動画に同期して、その画像が表示対象として割り当てられた前記表示手段に、動画で表示させる
ことを特徴とする請求項２に記載の情報処理装置。
【請求項４】
前記画像には、対応するアングルを特定するマークが付されており、
前記アングル数取得手段は、前記マークに基づいて、前記アングルの数を取得する
ことを特徴とする請求項１に記載の情報処理装置。
【請求項５】
前記画像のアスペクト比を検出する検出手段
をさらに備え、
前記割当手段は、前記アングルの数と前記検出手段により検出された前記アスペクト比とに基づいて、複数の前記表示手段それぞれに対して、前記表示対象と前記表示形態を割り当てる
ことを特徴とする請求項１に記載の情報処理装置。
【請求項６】
複数のアングルの画像を表示する複数の表示手段を制御する情報処理装置の情報処理方法において、
前記アングルの数を取得するアングル数取得ステップと、
前記アングル数取得ステップの処理により取得された前記アングルの数に基づいて、複数の前記表示手段それぞれに対して、複数の前記アングルの画像のいずれかを、表示対象として割り当てるとともに、その表示対象の表示形態を割り当てる割当ステップと、
複数の前記表示手段それぞれに、前記割当ステップの処理により割り当てられた表示対象を、前記割当ステップの処理により割り当てられた表示形態で表示させる表示制御ステップと
を含むことを特徴とする情報処理方法。
【請求項７】
複数のアングルの画像を表示する複数の表示手段を制御する制御処理を、コンピュータに行わせるプログラムにおいて、
前記アングルの数を取得するアングル数取得ステップと、
前記アングル数取得ステップの処理により取得された前記アングルの数に基づいて、複数の前記表示手段それぞれに対して、複数の前記アングルの画像のいずれかを、表示対象として割り当てるとともに、その表示対象の表示形態を割り当てる割当ステップと、
複数の前記表示手段それぞれに、前記割当ステップの処理により割り当てられた表示対象を、前記割当ステップの処理により割り当てられた表示形態で表示させる表示制御ステップと
を含むことを特徴とするプログラム。
【請求項８】
複数のアングルの画像を表示する複数の表示手段を制御する制御処理を、コンピュータに行わせるプログラムが記録されている記録媒体において、
前記アングルの数を取得するアングル数取得ステップと、
前記アングル数取得ステップの処理により取得された前記アングルの数に基づいて、複数の前記表示手段それぞれに対して、複数の前記アングルの画像のいずれかを、表示対象として割り当てるとともに、その表示対象の表示形態を割り当てる割当ステップと、
複数の前記表示手段それぞれに、前記割当ステップの処理により割り当てられた表示対象を、前記割当ステップの処理により割り当てられた表示形態で表示させる表示制御ステップと
を含むことを特徴とするプログラムに記録されている記録媒体。
【発明の詳細な説明】
【技術分野】
【０００１】
本発明は、情報処理装置および情報処理方法、プログラム、並びに記録媒体に関し、特に、複数のアングルの画像を複数の表示装置にそれぞれ表示する場合において、複数のアングルの画像を、表示装置に効率的に表示させることができるようにする情報処理装置および情報処理方法、プログラム、並びに記録媒体に関する。
【背景技術】
【０００２】
従来、DVD（Digital Versatile Disk）のマルチアングル画像（複数のアングルの画像）を再生するDVDプレーヤにおいて、ユーザは、いま表示されているマルチアングル画像とは異なるアングルのマルチアングル画像を表示させる場合、アングルの切替えを指令する切替ボタンを押下する。
【０００３】
図１を参照して、従来のDVDプレーヤにおいて、ユーザが、表示対象のマルチアングル画像のアングルを変更するために行う操作を説明する。なお、以下では、アングルに、１から順に番号を付し、番号ｉが付されたアングルを、アングル＃ｉという。
【０００４】
図１に示すように、アングル＃１のマルチアングル画像が表示されている場合、ユーザは、切替ボタンを押下して、アングル＃１とは異なるアングル＃２のマルチアングル画像を表示させる。同様に、アングル＃２のマルチアングル画像が表示されている場合、ユーザは、切替ボタンを押下して、アングル＃２とは異なるアングル＃３のマルチアングル画像を表示させる。以降も同様に、ユーザが切替ボタンの押下を繰り返すことにより、異なるアングルのマルチアングル画像を表示させることができる。
【０００５】
しかしながら、ユーザは、所望のアングルのマルチアングル画像を表示させる場合、切替ボタンを複数回押下することにより、すべてのアングルのマルチアングル画像を表示させ、所望のアングルのマルチアングル画像を選択して、再度切替ボタンを押下して、そのアングルのマルチアングル画像を表示させる。
【０００６】
例えば、アングルの数が９個である場合、ユーザは、切替ボタンを９回押下した後、所望のアングルのマルチアングル画像を選択し、その所望のアングルのマルチアングル画像を表示させるように、再度切替ボタンを押下する。従って、ユーザは、切替ボタンを複数回押下する必要があり、面倒である。
【０００７】
そこで、１つの表示装置の画面内に、すべてのアングルのマルチアングル画像を表示させるDVDプレーヤもある。このDVDプレーヤでは、１つの画面内に、すべてのアングルのマルチアングル画像が表示されているので、ユーザは、１つの画面内に表示されているすべてのアングルのマルチアングル画像のうち、所望のアングルのマルチアングル画像を選択し、そのマルチアングル画像を表示させるように指示（操作）することで、所望のアングルのマルチアングル画像を表示させることができる。即ち、ユーザは、１回の操作で、所望のアングルのマルチアングル画像を表示させることができる。
【０００８】
また、複数の表示装置のそれぞれに、１つまたは複数のアングルのマルチアングル画像を表示させる映像再生装置がある（例えば、特許文献１参照）。
【特許文献１】特開２００３−１３４４７１号公報
【発明の開示】
【発明が解決しようとする課題】
【０００９】
しかしながら、特許文献１の映像再生装置では、１つの表示装置に、１つまたは複数のアングルの画像を表示させるので、アングル数に比べて、表示装置の数が多い場合、多い分の表示装置には、何も画像が表示されない。従って、複数の表示装置が効率的に使われていない。
【００１０】
本発明は、このような状況に鑑みてなされたものであり、特に、複数のアングルの画像を複数の表示装置にそれぞれ表示する場合において、複数のアングルの画像を、表示装置に効率的に表示させることができるようにするものである。
【課題を解決するための手段】
【００１１】
本発明の情報処理装置は、アングルの数を取得するアングル数取得手段と、アングル数取得手段により取得されたアングルの数に基づいて、複数の表示手段それぞれに対して、複数のアングルの画像のいずれかを、表示対象として割り当てるとともに、その表示対象の表示形態を割り当てる割当手段と、複数の表示手段それぞれに、割当手段により割り当てられた表示対象を、割当手段により割り当てられた表示形態で表示させる表示制御手段とを備えることを特徴とする。
【００１２】
割当手段は、動画で表示する表示形態、静止画で表示する表示形態、または拡大して表示する表示形態を割り当てることができる。
【００１３】
情報処理装置は、動画で表示する画像のアングルの変更を指令する指令手段をさらに設け、表示制御手段は、少なくとも１つの表示手段に、割当手段により割り当てられた表示対象を動画で表示させる場合、指令手段により指令された動画で表示するアングルの画像を、その動画に同期して、その画像が表示対象として割り当てられた表示手段に、動画で表示させることができる。
【００１４】
画像には、対応するアングルを特定するマークが付されており、アングル数取得手段は、マークに基づいて、アングルの数を取得することができる。
【００１５】
情報処理装置は、画像のアスペクト比を検出する検出手段をさらに設け、割当手段は、アングルの数と検出手段により検出されたアスペクト比とに基づいて、複数の表示手段それぞれに対して、表示対象と表示形態を割り当てることができる。
【００１６】
本発明の情報処理方法は、アングルの数を取得するアングル数取得ステップと、アングル数取得ステップの処理により取得されたアングルの数に基づいて、複数の表示手段それぞれに対して、複数のアングルの画像のいずれかを、表示対象として割り当てるとともに、その表示対象の表示形態を割り当てる割当ステップと、複数の表示手段それぞれに、割当ステップの処理により割り当てられた表示対象を、割当ステップの処理により割り当てられた表示形態で表示させる表示制御ステップとを含むことを特徴とする。
【００１７】
本発明のプログラムは、アングルの数を取得するアングル数取得ステップと、アングル数取得ステップの処理により取得されたアングルの数に基づいて、複数の表示手段それぞれに対して、複数のアングルの画像のいずれかを、表示対象として割り当てるとともに、その表示対象の表示形態を割り当てる割当ステップと、複数の表示手段それぞれに、割当ステップの処理により割り当てられた表示対象を、割当ステップの処理により割り当てられた表示形態で表示させる表示制御ステップとを含むことを特徴とする。
【００１８】
本発明の記録媒体に記録されるプログラムは、アングルの数を取得するアングル数取得ステップと、アングル数取得ステップの処理により取得されたアングルの数に基づいて、複数の表示手段それぞれに対して、複数のアングルの画像のいずれかを、表示対象として割り当てるとともに、その表示対象の表示形態を割り当てる割当ステップと、複数の表示手段それぞれに、割当ステップの処理により割り当てられた表示対象を、割当ステップの処理により割り当てられた表示形態で表示させる表示制御ステップとを含むことを特徴とする。
【００１９】
本発明においては、アングルの数を取得し、そのアングルの数に基づいて、複数の表示手段それぞれに対して、複数のアングルの画像のいずれかを、表示対象として割り当てるとともに、その表示対象の表示形態を割り当てる。そして、複数の表示手段それぞれに、割り当てられた表示対象を、割り当てられた表示形態で表示させる。
【発明の効果】
【００２０】
本発明によれば、特に、複数のアングルの画像を複数の表示装置にそれぞれ表示する場合において、複数のアングルの画像を、表示装置に効率的に表示させることができる。
【発明を実施するための最良の形態】
【００２１】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２２】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２３】
請求項１に記載の情報処理装置は、
複数のアングルの画像を表示する複数の表示手段（例えば、図２の画像表示装置１１−１乃至１１−９）を制御する情報処理装置（例えば、図２のディスク再生装置１２）において、
前記アングルの数を取得するアングル数取得手段(例えば、図５のアングル数取得部１２２)と、
前記アングル数取得手段により取得された前記アングルの数に基づいて、複数の前記表示手段それぞれに対して、複数の前記アングルの画像のいずれかを、表示対象として割り当てるとともに、その表示対象の表示形態を割り当てる割当手段(例えば、図５の割り当て部１２３)と、
複数の前記表示手段それぞれに、前記割当手段により割り当てられた表示対象を、前記割当手段により割り当てられた表示形態で表示させる表示制御手段(例えば、図５の割り当て部１２３)と
を備えることを特徴とする。
【００２４】
請求項３に記載の情報処理装置は、
前記動画で表示する画像のアングルの変更を指令する指令手段（例えば、図３の受光部２１）
をさらに備え、
前記表示制御手段は、少なくとも１つの表示手段に、前記割当手段により割り当てられた表示対象を動画で表示させる場合、前記指令手段により指令された前記動画で表示するアングルの画像を、その動画に同期して、その画像が表示対象として割り当てられた前記表示手段に、動画で表示させる(例えば、図１１のステップＳ５３の処理)
ことを特徴とする。
【００２５】
請求項４に記載の情報処理装置は、
前記画像には、対応するアングルを特定するマーク（例えば、図１８のアングルマーク２２１乃至２１４）が付されており、
前記アングル数取得手段は、前記マークに基づいて、前記アングルの数を取得する（例えば、図２２のステップＳ１３８の処理）
ことを特徴とする。
【００２６】
請求項５に記載の情報処理装置は、
前記画像のアスペクト比を検出する検出手段(例えば、図１６の割り当て部１８３)
をさらに備え、
前記割当手段は、前記アングルの数と前記検出手段により検出された前記アスペクト比とに基づいて、複数の前記表示手段それぞれに対して、前記表示対象と前記表示形態を割り当てる(例えば、図２１のステップＳ１１５の処理)
ことを特徴とする。
【００２７】
請求項６に記載の情報処理方法は、
複数のアングルの画像を表示する複数の表示手段（例えば、図２の画像表示装置１１−１乃至１１−９）を制御する情報処理装置（例えば、図２のディスク再生装置１２）の情報処理方法において、
前記アングルの数を取得するアングル数取得ステップ（例えば、図９のステップＳ１３）と、
前記アングル数取得ステップの処理により取得された前記アングルの数に基づいて、複数の前記表示手段それぞれに対して、複数の前記アングルの画像のいずれかを、表示対象として割り当てるとともに、その表示対象の表示形態を割り当てる割当ステップ(例えば、図９のステップＳ１４)と、
複数の前記表示手段それぞれに、前記割当ステップの処理により割り当てられた表示対象を、前記割当ステップの処理により割り当てられた表示形態で表示させる表示制御ステップ(例えば、図９のステップＳ１５)と
を含むことを特徴とする。
【００２８】
請求項７に記載のプログラムおよび請求項８に記載の記録媒体に記録されるプログラムは、
複数のアングルの画像を表示する複数の表示手段を制御する制御処理を、コンピュータに行わせるプログラムにおいて、
前記アングルの数を取得するアングル数取得ステップ（例えば、図９のステップＳ１３）と、
前記アングル数取得ステップの処理により取得された前記アングルの数に基づいて、複数の前記表示手段それぞれに対して、複数の前記アングルの画像のいずれかを、表示対象として割り当てるとともに、その表示対象の表示形態を割り当てる割当ステップ(例えば、図９のステップＳ１４)と、
複数の前記表示手段それぞれに、前記割当ステップの処理により割り当てられた表示対象を、前記割当ステップの処理により割り当てられた表示形態で表示させる表示制御ステップ(例えば、図９のステップＳ１５)と
を含むことを特徴とする。
【００２９】
以下、本発明を適用した具体的な実施の形態について、図面を参照しながら詳細に説明する。
【００３０】
図２は、本発明を適用した画像表示システムの外観構成例を示す図である。
【００３１】
図２の画像表示システム１は、画像表示装置１１−１乃至１１−９、光ディスク３１を再生するディスク再生装置１２、リモートコントローラ１３、およびケーブル１４から構成される。
【００３２】
図２の画像表示システム１は、光ディスク３１に記録されている画像データの画像を、画像表示装置１１−１乃至１１−９に表示させる。ここで、光ディスク３１に記録されている画像データには、マルチアングル画像の画像データ（以下、マルチアングル画像データという）と、１つのアングルの画像の画像データ（以下、通常画像データという）がある。
【００３３】
なお、以下では、マルチアングル画像データと通常画像データを区別する必要がない場合、画像データという。また、以下では、画像表示装置１１−１乃至１１−９を区別する必要がない場合、それらをまとめて画像表示装置１１という。
【００３４】
画像表示装置１１は、例えば、テレビジョン受像機から構成される。画像表示装置１１−１乃至１１−９は、ディスク再生装置１２とケーブル１４を介して接続されており、ディスク再生装置１２からの画像データに基づいて、画像を表示させる。例えば、各画像表示装置１１は、ディスク再生装置１２からのマルチアングル画像データと、制御コマンドとに基づいて、アングルの異なるマルチアングル画像を、それぞれ表示する。なお、画像表示装置１１−１乃至１１−９には、画像表示装置１１を特定する情報として、ＩＤ番号が１から順に付されている。例えば、画像表示装置１１−１のＩＤ番号は、１である。
【００３５】
ディスク再生装置１２には、受光部２１が備えられている。受光部２１は、リモートコントローラ１３からの制御コマンドを受光する。ディスク再生装置１２は、例えば受光部２１により受光された制御コマンドに基づいて、各種の制御を行う。また、ディスク再生装置１２は、受光部２１により受光された制御コマンドを、ケーブル１４を介して、画像表示装置１１に供給する。
【００３６】
ディスク再生装置１２には、DVD、CD、あるいは、VCD（Video  CD）などからなる光ディスク３１が装着される。ディスク再生装置１２は、光ディスク３１に記録されている画像データを再生し、その画像データを画像表示装置１１に供給する。
【００３７】
リモートコントローラ１３は、ユーザによる操作に応じて、その操作に対応する制御コマンドを、ディスク再生装置１２に送信する。例えば、リモートコントローラ１３には、１乃至９の番号が付された番号キーが設けられている。ユーザは、画像表示装置１１のそれぞれに異なるアングルのマルチアングル画像が表示されている場合、所望のアングルのマルチアングル画像が表示されている画像表示装置１１のＩＤ番号が付された番号キーを操作（押下）することにより、所望のアングルのマルチアングル画像を選択する。なお、以下では、画像表示装置１１のディスプレイ上（画面上）に、自分自身のＩＤ番号が表示されているものとする。ユーザは、例えば、リモートコントローラ１３を操作することにより、画像表示装置１１に、ＩＤ番号を表示させたり、非表示にさせることができる。
【００３８】
なお、画像表示装置１１の画面上に、自分自身のＩＤ番号を表示させるのではなく、例えば、製造元が、製造時に、画像表示装置１１の筐体にＩＤ番号を印刷するようにしてもよい。
【００３９】
図３は、図２の画像表示システム１の機能的構成例を示すブロック図である。
【００４０】
画像表示装置１１は、ディスク再生装置１２からの、自分自身に割り当てられた表示対象とその表示対象の表示形態を表す割り当て情報と、受光部２１からの制御コマンドとに基づいて、ディスク再生装置１２からの画像データを、画像として表示する。
【００４１】
ディスク再生装置１２は、受光部２１とディスク再生部４１から構成される。受光部２１は、リモートコントローラ１３からの制御コマンドを受光し、ディスク再生部４１と画像表示装置１１に供給する。ディスク再生装置１２には、光ディスク３１が装着される。ディスク再生部４１は、受光部２１からの制御コマンドに基づいて、光ディスク３１に記録されている画像データを再生し、画像表示装置１１に供給する。また、ディスク再生装置１２は、各画像表示装置１１に、表示対象とその表示対象の表示形態を割り当て、割り当て情報として、画像表示装置１１に供給する。さらに、ディスク再生装置１２は、インデックス画像の表示に関する指令を表すインデックス信号を、画像表示装置１１に供給する。
【００４２】
図４は、図３のディスク再生装置１２の詳細構成例を示すブロック図である。
【００４３】
ディスク再生装置１２の受光部２１は、リモートコントローラ１３からの制御コマンドを受光し、システムコントローラ８３に供給する。
【００４４】
ディスク再生装置１２のディスク再生部４１は、光ディスク３１に記録された信号を復調する前処理部５１と、復調された信号を出力する後処理部５２とから構成される。
【００４５】
前処理部５１の光ピックアップ７２は、図示せぬスピンドルモータによって回転駆動されている光ディスク３１にレーザ光を照射する。光ピックアップ７２はまた、照射したレーザ光が光ディスク３１で反射されることにより得られる反射光を受光し、その光電変換を行って、ＲＦ(Radio Frequency)信号を、ＲＦアンプ７３に出力する。ＲＦアンプ７３は、光ピックアップ７２からのＲＦ信号を増幅して、復調部７４に出力する。
【００４６】
復調部７４は、ＲＦアンプ７３からのＲＦ信号を復調し、ECC(Error Checking and Correction)部７６に出力する。また、復調部７４は、ＲＦ信号より得られるサーボ信号を、サーボ用DSP(Digital Signal Processor)２５に供給する。サーボ用DSP２５は、入力されたサーボ信号に基づいて、光ピックアップ７２のフォーカス状態やトラッキング状態を制御する。また、サーボ用DSP２５は、システムコントローラ８３の制御により、光ディスク３１から所定のデータを読み出す（再生する）。
【００４７】
ECC部７６は、DRAM(Dynamic Read Only Memory)７７に必要なデータを記憶させながら、復調部７４の出力の誤り検出および誤り訂正を行い、その結果得られるデータを、後処理部５２のＡＶ(Audio Visual)デコーダ７８に供給する。
【００４８】
ＡＶデコーダ７８は、DRAM７９に必要なデータを記憶させながら、ECC部７６からのデータを、例えばMPEG(Moving Picture Experts Group)方式でデコードし、そのデコードの結果得られる、例えばコンポーネント信号等の画像データを、NTSC/PAL(National Television System Committee / Phase Alternation by Line)エンコーダ８０に出力する。また、ＡＶデコーダ７８は、デコードの結果得られるデジタルデータである音声データをDAC（Digital Analog Converter）８１に供給する。NTSC/PALエンコーダ８０は、ＡＶデコーダ７８からの画像データを、必要に応じて、NTSCまたはPAL方式の画像データに変換して、例えば、フレーム単位で外部に出力する。
【００４９】
後処理部５２のDAC８１は、ＡＶデコーダ７８からのデジタルデータである音声データをD/A変換し、D/A変換後のアナログ信号である音声信号を、増幅器８２に出力する。増幅器８２は、DAC８１からの音声信号を増幅して、外部に出力する。
【００５０】
システムコントローラ８３は、受光部２１からの制御コマンドに対応して、必要な情報を後処理部５２のメモリ８４に記憶させながら、サーボ用DSP２５を制御して、光ディスク３１に記録されたデータを復調させたり、ＡＶデコーダ７８とDAC８１を制御して、画像データや音声データを出力させる。
【００５１】
また、システムコントローラ８３には、必要に応じてドライブ１００が接続され、磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、および半導体メモリからなるリムーバブル記録媒体１０１が適宜装着され、データの授受を行う。
【００５２】
電源部８５は、システムコントローラ８３、その他に、必要な電力を供給する。ＡＶデコーダ７８、システムコントローラ８３、およびメモリ８４は、ホストバス８６を介して接続されており、必要に応じて画像データおよび音声データなどを相互に授受する。
【００５３】
図５は、図４のシステムコントローラ８３の詳細構成例を示すブロック図である。
【００５４】
図５のシステムコントローラ８３は、マルチアングル判定部１２１、アングル数取得部１２２、割り当て部１２３、インデックス画像作成部１２４、および読み出し制御部１２５から構成される。
【００５５】
システムコントローラ８３は、図４のＡＶデコーダ７８からホストバス８６を介して供給される画像データを、マルチアングル判定部１２１とアングル数取得部１２２に供給する。また、システムコントローラ８３は、受光部２１から供給される制御コマンドを、読み出し制御部１２５に供給する。
【００５６】
マルチアングル判定部１２１は、ＡＶデコーダ７８からの画像データが、マルチアングル画像データであるかどうかを判定し、その判定結果をアングル数取得部１２２と読み出し制御部１２５に供給する。
【００５７】
アングル数取得部１２２は、マルチアングル判定部１２１からの判定結果に応じて、ＡＶデコーダ７８からの画像データに基づいて、アングル数を取得し、そのアングル数を割り当て部１２４とインデックス画像作成部１２４に供給する。
【００５８】
割り当て部１２３は、アングル数取得部１２２からのアングル数に基づいて、各画像表示装置１１に対して、表示対象とするマルチアングル画像のアングルと、その表示対象の表示形態とを割り当て、割り当て情報を画像表示装置１１に供給するとともに、その割り当て情報をメモリ８４に供給して、テーブルとして記憶させる。
【００５９】
インデックス画像作成部１２４は、アングル数取得部１２２からのアングル数に基づいて、インデックス画像を作成するためのインデックス画像作成処理を行う。具体的には、インデックス画像作成部１２４は、インデックス画像の作成に関するマルチアングル画像データの読み出しを制御する制御信号を、読み出し制御部１２５に供給する。また、インデックス画像作成部１２４は、メモリ８４に記憶されているテーブルに基づいて、画像表示装置１１に、インデックス画像の表示に関する指令を表すインデックス信号を供給する。
【００６０】
読み出し制御部１２５は、インデックス画像作成部１２４からの制御信号に基づいて、光ディスク３１に記録されている画像データの読み出し位置を決定し、図４のサーボ用DSP７５を制御する。また、読み出し制御部１２５は、受光部２１からの制御コマンドとメモリ８４に記憶されているテーブルに基づいて、画像データの読み出し位置を決定し、サーボ用DSP７５を制御する。さらに、読み出し制御部１２５は、受光部２１から供給される制御コマンドに応じて、メモリ８４に記憶されているテーブルを変更する。
【００６１】
図６は、図３の画像表示装置１１の詳細構成例を示すブロック図である。
【００６２】
図６の画像表示装置１１は、画像処理部１４１、メモリ１４２、出力選択信号１４３、およびディスプレイ１４４から構成される。
【００６３】
画像表示装置１１は、図４のＡＶデコーダ７８からの画像データを、画像処理部１４１に供給する。また、画像表示装置１１は、受光部２１からの制御コマンドを、画像処理部１４１と出力選択部１４３に供給する。さらに、画像表示装置１１は、割り当て部１２３からの割り当て情報を画像処理部１４１に供給し、インデックス画像作成部１２４からのインデックス信号を、画像処理部１４１と出力選択部１４３に供給する。
【００６４】
画像処理部１４１は、受光部２１からの制御コマンド（リモコンコマンド）、または割り当て部１２３からの割り当て情報に基づいて、ＡＶデコーダ７８からの画像データに対して、ズーム（拡大）処理やＩＰ（Interlace Progressive）変換などの画像処理を行う。画像処理部１４１は、インデックス画像作成部１２４からのインデックス信号に応じて、画像処理後の画像データをメモリ１４２に供給する。また、画像処理部１４１は、画像処理後の画像データを、動画像データとして出力選択部１４３に供給する。メモリ１４２は、画像処理部１４１からの画像データを、静止画像データとして記憶する。また、メモリ１４２は、記憶している静止画像データを、出力選択部１４３に出力する。
【００６５】
出力選択部１４３は、受光部２１からの制御コマンドまたはインデックス画像作成部１２４からのインデックス信号に基づいて、画像処理部１４１からの動画像データ、またはメモリ１４２からの静止画像データのいずれかを選択し、ディスプレイ１４４に出力する。ディスプレイ１４４は、出力選択部１４３からの動画像データまたは静止画像データに基づいて、動画像または静止画像を表示する。
【００６６】
図７は、画像表示装置１１−１乃至１１−９に表示されるマルチアングル画像の例を示している。
【００６７】
図７では、５個のアングル＃１乃至＃５のマルチアングル画像が、画像表示装置１１−１乃至１１−９に表示される。
【００６８】
図７では、画像表示装置１１−１，１１−２，１１−４、および１１−５に、アングル＃１のマルチアングル画像の動画像が拡大（ズーム）表示される。ここで、画像表示装置１１−１，１１−２，１１−４、および１１−５に表示されるアングル＃１の動画像は、アングル＃１のマルチアングル画像が４倍に拡大されたものである。
【００６９】
画像表示装置１１−１には、アングル＃１のマルチアングル画像が４倍に拡大された動画像（以下、４倍拡大アングル＃１画像という）の左上の1/4の領域が表示されている。また、画像表示装置１１−２には、４倍拡大アングル＃１画像の右上の1/4の領域が、画像表示装置１１−４には、左下の1/4の領域が、画像表示装置１１−７には、右下の1/4の領域が表示される。
【００７０】
画像表示装置１１−３には、アングル＃５のマルチアングル画像の静止画像が表示され、画像表示装置１１−６には、アングル＃４のマルチアングル画像の静止画像が表示されている。画像表示装置１１−７には、アングル＃１のマルチアングル画像の動画像が、画像表示装置１１−８には、アングル＃２のマルチアングル画像の静止画像が表示されている。画像表示装置１１−９には、アングル＃３のマルチアングル画像の静止画像が表示されている。
【００７１】
以上のように、図７では、画像表示装置１１−７乃至１１−９、１１−６、または１１−３に、それぞれアングル＃１乃至＃３、アングル＃４、またはアングル＃５のマルチアングル画像が表示される。そして、１つのアングル＃１のマルチアングル画像においては、動画像が表示され、その他のアングル＃２乃至＃４の画像においては、静止画像が表示される。また、図７では、５個の画像表示装置１１−７乃至１１−９、１１−６、または１１−３のそれぞれに、それぞれアングル＃１乃至＃３、アングル＃４、またはアングル＃５のマルチアングル画像が表示され、残り（余り）の４個の画像表示装置１１−１、１１−２、１１−４、および１１−５には、アングル＃１のマルチアングル画像の動画像が、拡大して表示される。
【００７２】
従って、画像表示装置１１の数が、マルチアングル画像のアングル数に比べて多い場合においても、余りの画像表示装置１１に、所定のアングルのマルチアングル画像の動画像を拡大して表示させるので、マルチアングル画像を、画像表示装置１１に効率的に表示させることができる。また、あまりの画像表示装置１１−１、１１−２、１１−４、および１１−５には、アングル＃１のマルチアングル画像の動画像が、拡大して表示されるので、ユーザは、迫力のある動画像を視聴することができる。
【００７３】
また、図７に示すように、各アングルのマルチアングル画像が同時に画像表示装置１１に表示されるので、ユーザは、画像表示装置１１全体を見ることにより、一目で所望のアングルのマルチアングル画像を認識することができる。
【００７４】
さらに、図７に示すように、各画像表示装置１１には、１つのアングルのマルチアングル画像が表示されるので、１つの画像表示装置に、すべてのアングルのマルチアングル画像を表示させる場合に比べて、１つのアングルのマルチアングル画像の画素数は多くなる。その結果、高画質のマルチアングル画像を表示させることができる。
【００７５】
図８は、図４のメモリ８４に記憶されるテーブルの例を示している。
【００７６】
図８に示すように、図４のメモリ８４に記憶されるテーブルでは、画像表示装置１１に付加されたＩＤ番号に、割り当て部１２３により表示対象として割り当てられたマルチアングル画像のアングルに付された番号（以下、アングル番号という）と、その表示対象の表示形態が対応付けられている。
【００７７】
図８では、例えば、ＩＤ番号「１」に、アングル番号「１」と表示形態「ズーム４分割（左上）」が対応付けられている。即ち、ＩＤ番号が「１」である画像表示装置１１−１に、表示対象としてアングル番号＃１のマルチアングル画像が割り当てられ、そのアングル番号＃１のマルチアングル画像の表示形態として、「動画像を４倍に拡大して、４分割した左上の1/4の領域」が割り当てられている。
【００７８】
図８に示すようなテーブルが、メモリ８４に記憶されている場合、画像表示装置１１には、図７に示したマルチアングル画像が表示される。
【００７９】
図９は、図４のディスク再生装置１２の光ディスク３１を再生する再生処理を説明するフローチャートである。この再生処理は、マルチアングル判定部１２１（図５）に、NTSC/PALエンコーダ８０からのフレーム単位の画像データが供給されたとき、開始される。なお、このとき、光ディスク３１から読み出す画像データの、光ディスク３１に対する位置である読み出し位置は、その画像データの最後の位置（次の画像データの最初の位置）に移動している。
【００８０】
ステップＳ１１において、システムコントローラ８３のマルチアングル判定部１２１は、NTSC/PALエンコーダ８０からのフレーム単位の画像データが、マルチアングル画像データであるかどうかを判定する。具体的には、例えば、画像データには、マルチアングル画像データであるかどうかを示すデータが付加されており、マルチアングル判定部１２１は、そのデータを抽出し、マルチアングル画像データであるかどうかを判定する。
【００８１】
ステップＳ１１において、NTSC/PALエンコーダ８０からのフレーム単位の画像データが、マルチアングル画像データではないと判定された場合、ステップＳ１２乃至Ｓ１７をスキップし、ステップＳ１８に進む。
【００８２】
一方、ステップＳ１１において、NTSC/PALエンコーダ８０からのフレーム単位の画像データが、マルチアングル画像データであると判定された場合、ステップＳ１２に進み、割り当て部１２３により既に画像表示装置１１に表示対象と表示形態が割り当てられているかどうか、即ち直前のステップＳ１１の処理より前に、画像データはマルチアングル画像データであると判定されたかどうかを判定する。
【００８３】
ステップＳ１２において、割り当て部１２３により既に画像表示装置１１に表示対象と表示形態が割り当てられていると判定した場合、即ち直前のステップＳ１１の処理より前に、画像データはマルチアングル画像データであると判定された場合、ステップＳ１３乃至Ｓ１６をスキップして、ステップＳ１７に進む。
【００８４】
一方、ステップＳ１２において、割り当て部１２３により既に画像表示装置１１に表示対象と表示形態が割り当てられていないと判定した場合、即ち直前のステップＳ１１１の処理より前に、画像データはマルチアングル画像データであると判定されていない場合、マルチアングル判定部１２１は、ステップＳ１１で判定した判定結果を、アングル数検出部１２２に供給し、ステップＳ１３に進む。
【００８５】
ステップＳ１３において、アングル数取得部１２２は、NTSC/PALエンコーダ８０からのフレーム単位の画像データであるマルチアングル画像データのアングル数Ｋを取得し、割り当て部１２３とインデックス画像作成部１２４に供給する。
【００８６】
具体的には、例えば、画像データがマルチアングル画像データである場合、画像データには、マルチアングル画像データであるかどうかを示すデータのほかに、マルチアングル画像データのアングル数Ｋを示すデータが付加されており、アングル数取得部１２２は、マルチアングル画像データに付加されているアングル数Ｋを示すデータを抽出することで、アングル数Ｋを取得し、割り当て部１２３とインデックス画像作成部１２４に供給する。
【００８７】
ステップＳ１３の処理後は、ステップＳ１４に進み、割り当て部１２３は、アングル数取得部１２２からのアングル数Ｋに基づいて、各画像表示装置１１に対して、Ｋ個のアングルのマルチアングル画像データのうちのいずれかを、表示対象としてそれぞれ割り当てるとともに、その表示対象の表示形態をそれぞれ割り当てる。
【００８８】
例えば、アングル数取得部１２２からのアングル数Ｋが５である場合、割り当て部１２３は、５個の画像表示装置１１−７乃至１１−９、１１−６、および１１−３に、５個のアングル＃１乃至＃５のマルチアングル画像データをそれぞれ表示対象として割り当てるとともに、アングル＃１の表示形態として動画像を、アングル＃２乃至＃５の表示形態として静止画像をそれぞれ割り当てる。そして、割り当て部１２３は、残りの４個の画像表示装置１１−１、１１−２、１１−４、および１１−５に、表示形態として動画像を割り当てたアングル＃１のマルチアングル画像データを表示対象として割り当て、その表示形態として、「ズーム４分割（拡大（ズーム）した動画像の1/4の表示）」を割り当てる。
【００８９】
このように、割り当て部１２３は、アングル数Ｋに基づいて、各画像表示装置１１に対する割り当てを行う。例えば、アングル数Ｋが画像表示装置１１の数より少ない場合、割り当て部１２３は、Ｋ個の画像表示装置１１に各アングルの画像を表示対象としてそれぞれ割り当てるとともに、１つのアングルの表示形態として「動画表示」を割り当て、その他のアングルの表示形態として「静止画表示」を割り当てる。そして、割り当て部１２３は、Ｋ個の画像表示装置１１以外の残りの画像表示装置１１に、表示形態として「動画表示」が割り当てられた表示対象のアングルの画像を、表示対象として割り当て、その表示対象の表示形態として「ズーム表示」を割り当てる。これにより、アングル数Ｋ個以外の残りの画像表示装置１１を余すことなく、あるアングルのマルチアングル画像のズーム表示に用いることができる。即ち、マルチアングル画像を、画像表示装置１１に効率良く表示させることができる。
【００９０】
ステップＳ１４の処理後は、ステップＳ１５に進み、割り当て部１２３は、ステップＳ１４で割り当てた結果を表す割り当て情報を、メモリ８４に供給し、テーブル（図８）として記憶させるとともに、割り当て情報を画像表示装置１１に供給し、ステップＳ１６に進む。
【００９１】
ステップＳ１６において、インデックス画像作成部１２４は、インデックス画像を作成するインデックス画像作成処理を行う。このインデックス画像作成処理の詳細は、図１０のフローチャートを参照して後述する。ステップＳ１６の処理後は、ステップＳ１７に進む。
【００９２】
ステップＳ１７において、読み出し制御部１２５は、光ディスク３１に記録されている画像データの読み出しを制御する読み出し制御処理を行う。この読み出し制御処理の詳細は、図１１のフローチャートを参照して後述する。ステップＳ１７の処理後は、ステップＳ１８に進む。
【００９３】
ステップＳ１８において、サーボ用DSP７５は、読み出し制御部１２５の制御により、光ピックアップ７２を制御し、ステップＳ１７の処理で決定された読み出し位置の画像データを読み出す。このとき、読み出し位置は、読み出された画像データの最後の位置(次の画像データの最初の位置（次のフレームの先頭の位置）)に移動している。ステップＳ１８の処理後は、ステップＳ１１に戻り、上述した処理を繰り返す。
【００９４】
図１０は、図９のステップＳ１６のインデックス画像作成処理を説明するフローチャートである。
【００９５】
ステップＳ３１において、インデックス画像作成部１２４は、図示せぬカウンタのカウント値Ａを１に設定し、ステップＳ３２に進む。ステップＳ３２において、インデックス画像作成部１２４は、カウント値Ａが、図９のステップＳ１３でアングル数取得部１２２から供給されるアングル数Ｋ以下であるかどうかを判定する。
【００９６】
ステップＳ３２において、カウント値Ａが、アングル数Ｋ以下であると判定された場合、ステップＳ３３に進み、インデックス画像作成部１２４は、アングル＃Ａの先頭（一番目）のマルチアングル画像データを読み出すための制御信号を、読み出し制御部１２５に供給する。読み出し制御部１２５は、その制御信号に基づいて、読み出し位置を、アングル＃Ａの先頭のマルチアングル画像データの光ディスク３１に対する位置に決定し、その読み出し位置を表す制御信号を、サーボ用DSP７５に供給する。サーボ用DSP７５は、読み出し制御部１２５からの制御信号が表す読み出し位置に基づいて、光ピックアップ７２を制御し、アングル＃Ａの先頭のマルチアングル画像データを読み出される（再生される）。その再生の結果、アングル＃Ａの先頭のマルチアングル画像データが、ＲＦアンプ７３、復調部７４、ECC部７６、ＡＶデコーダ７８、およびNTSC/PALエンコーダ８０を介して、画像表示装置１１に出力される。
【００９７】
ステップＳ３３の処理後は、ステップＳ３４に進み、インデックス画像作成部１２４は、アングル＃Ａのマルチアングル画像データのメモリ１４２への書き込みを指令するインデックス信号を、画像表示装置１１に供給する。
【００９８】
インデックス画像作成部１２４からインデックス信号が供給された場合、図９のステップＳ１５で割り当て部１２３から供給された割り当て情報により、NTSC/PALエンコーダ８０からのフレーム単位のアングル＃Ａのマルチアングル画像データが、自分自身の表示対象に割り当てられたマルチアングル画像データであると判定されるとき、画像表示装置１１の画像処理部１４１は、ＩＰ変換などの画像処理を行い、画像処理後のマルチアングル画像データをメモリ１４２に記憶させる。
【００９９】
例えば、カウント値Ａが１であり、図８に示したテーブルが表す割り当て情報が割り当て部１２３から供給される場合、表示対象としてアングル番号「１」のマルチアングル画像データが割り当てられた、ＩＤ番号が１，２，４，５、および７の画像表示装置１１-１,１１−２，１１−４，１１−５、および１１−７の画像処理部１４１は、NTSC/PALエンコーダ８０からのフレーム単位の画像データに対して画像処理を行い、メモリ１４２に記憶させる。
【０１００】
なお、表示形態としてズーム表示が割り当てられた画像表示装置１１-１，１１−２，１１−４、および１１−５は、アングル＃１のマルチアングル画像データをメモリ１４２に記憶させず、表示形態として動画像表示が割り当てられた画像表示装置１１−７のみが、アングル＃１のマルチアングル画像データに対して画像処理を行い、メモリ１４２に記憶させるようにすることもできる。
【０１０１】
ステップＳ３４の処理後は、ステップＳ３５に進み、カウント値Ａを１だけインクリメントし、ステップＳ３２に戻る。
【０１０２】
ステップＳ３２において、カウント値Ａが、アングル数Ｋ以下ではない、即ちすべてのアングルのマルチアングル画像データが、アングルごとに、そのアングルのマルチアングル画像データが表示対象として割り当てられた画像表示装置１１のメモリ１４２に記憶された場合、ステップＳ３６に進み、インデックス画像作成部１２４は、読み出し制御部１２５に、読み出し位置をアングル＃１の先頭のマルチアングル画像データの光ディスク３１に対する位置に決定するように制御信号を供給する。読み出し制御部１２５は、その制御信号に基づいて、読み出し位置をアングル＃１の先頭のマルチアングル画像データの光ディスク３１に対する位置に決定する。
【０１０３】
ステップＳ３６の処理後は、ステップＳ３７に進み、インデックス画像作成部１２４は、メモリ８４からテーブルを読み出す。インデックス画像作成部１２４は、テーブルが表す割り当て情報に基づいて、各画像表示装置１１（の出力選択部１４３）に、メモリ１４２からのマルチアングル画像データ、または画像処理部１４１からのマルチアングル画像データのいずれかの出力を指令するインデックス信号を供給する。
【０１０４】
例えば、インデックス画像作成部１２４は、メモリ８４から図８に示したテーブルを読み出す場合、表示対象としてアングル番号「１」が割り当てられた画像表示装置１１−１，１１−２，１１−４，１１−５、および１１−７には、画像処理部１４１からのマルチアングル画像データの出力を指令するインデックス信号を供給する。また、インデックス画像作成部１２４は、表示対象としてアングル番号「１」以外が割り当てられた画像表示装置１１−３，１１−６，１１−８、および１１−９には、メモリ１４２からのマルチアングル画像データの出力を指令するインデックス信号を供給する。
【０１０５】
このとき、画像表示装置１１の出力選択部１４３は、インデックス信号に基づいて、メモリ１４２または画像処理部１４１からのマルチアングル画像データをディスプレイ１４４に出力する。ディスプレイ１４４は、出力選択部１４３からのマルチアングル画像データに基づいて、マルチアングル画像を表示する。
【０１０６】
ステップＳ３７の処理後は、図９のステップＳ１６に戻り、ステップＳ１７に進む。
【０１０７】
図１１は、図９のステップＳ１７の読み出し制御処理を説明するフローチャートである。
【０１０８】
ステップＳ５１において、読み出し制御部１２５は、読み出し位置に対応するマルチアングル画像の再生時刻であるオフセットを取得する。具体的には、例えば、光ディスク３１には、記録されているマルチアングル画像の再生時刻と、そのマルチアングル画像（データ）が記録されている光ディスク３１に対する位置との対応関係を表すテーブル（以下、時刻位置テーブルという）が記録されている。読み出し制御部２５は、その記録されている時刻位置テーブルに基づいて、読み出し位置に対応する再生時刻をオフセットとして取得する。
【０１０９】
ステップＳ５２において、読み出し制御部１２５は、受光部２１から、割り当てられている表示形態を「動画表示」に変更する画像表示装置１１を指定する制御コマンド（以下、動画切替コマンドという）が供給されたかどうかを判定する。
【０１１０】
具体的には、ユーザは、例えば、図７に示した画像表示装置１１を見ながら、動画で表示するマルチアングル画像のアングルの変更を指令するために、所望のアングルのマルチアングル画像が表示されている画像表示装置１１のＩＤ番号が付されたリモートコントローラ１３の番号キーを操作する。例えば、ユーザの所望のアングルのマルチアングル画像がアングル＃２のマルチアングル画像である場合、アングル＃２のマルチアングル画像が表示されている画像表示装置１１−８のＩＤ番号「８」が付されたリモートコントローラ１３の番号キーを操作する。
【０１１１】
リモートコントローラ１３は、ユーザからの番号キーの操作に応じて、割り当てられている表示形態を「動画表示」に変更する画像表示装置１１−８を指定する動画切替コマンドを送信し、受光部２１は、その動画切替コマンドを受光して、読み出し制御部１２５に供給する。即ち、受光部２１は、読み出し制御部１２５に、動画で表示するマルチアングル画像のアングルの変更を指令する。
【０１１２】
ステップＳ５２において、受光部２１から動画切替コマンドが供給されていないと判定された場合、ステップＳ５３とＳ５４をスキップして、図９のステップＳ１７に戻り、ステップＳ１８に進む。
【０１１３】
一方、ステップＳ５２において、受光部２１から動画切替コマンドが供給されたと判定された場合、ステップＳ５３に進み、読み出し制御部１２５は、メモリ８４からテーブルを読み出す。そして、読み出し制御部１２５は、動画切替コマンドが指定する画像表示装置１１のＩＤ番号に対応付けられているアングル番号を認識する。また、読み出し制御部１２５は、光ディスク３１に記録されている時刻位置テーブルに基づいて、認識したアングル番号のアングルのマルチアングル画像(データ)の、ステップＳ５１で取得されたオフセット（再生時刻）に対応する光ディスク３１に対する位置（先頭のマルチアングル画像データの位置から、オフセット分だけ進めた位置）に決定する。
【０１１４】
ステップＳ５３では、読み出し制御部１２５が、ステップＳ５１で取得したオフセットに対応する光ディスク３１に対する位置を読み出し位置に決定するので、動画切替コマンドが供給されたときに動画表示されているマルチアングル画像に同期して、動画切替コマンドに対応するアングルのマルチアングル画像の動画像を表示させることができる。即ち、ユーザは、動画で表示するマルチアングル画像のアングルの変更を指令するために、リモートコントローラ１３を操作した場合、そのリモートコントローラ１３を操作したときに動画表示されているマルチアングル画像と再生時刻が同時刻の、変更が指令されたアングルのマルチアングル画像を表示させることができる。
【０１１５】
ステップＳ５３の処理後は、ステップＳ５４において、読み出し制御部１２５は、受光部２１からの動画切替コマンドに基づいて、メモリ８４に記憶されているテーブルを変更する。例えば、図８に示したテーブルが、メモリ８４に記憶されており、動画切替コマンドが、ＩＤ番号「８」の画像表示装置１１−８を指定する場合、読み出し制御部１２５は、アングル番号「１」と表示形態「ズーム４分割」が対応付けられているＩＤ番号１，２，４、および５に対応するアングル番号を、「１」から「２」に変更する。これにより、アングル＃２のマルチアングル画像の動画像が、ズーム表示されて、ＩＤ番号が１，２，４、および５の画像表示装置１１−１，１１−２，１１−４、および１１−５に表示される。
【０１１６】
また、読み出し制御部１２５は、アングル番号「１」と表示形態「インデックス（動画像）」に対応付けられているＩＤ番号「７」に対応する表示形態を、「インデックス（動画像）」から「インデックス（静止画像）」に変更する。さらに、読み出し制御部１２５は、ＩＤ番号「８」に対応する表示形態を、「インデックス（静止画像）」から「インデックス（動画像）」に変更する。
【０１１７】
そして、ステップＳ５４の処理後は、図９のステップＳ１７に戻り、ステップＳ１８に進む。
【０１１８】
図１２は、図６の画像処理部１４１の画像処理を説明するフローチャートである。この画像処理は、図４のNTSC/PALエンコーダ８０かマルチアングル画像データが供給されたとき、開始され、例えば、フレームごとに行われる。なお、図１２の画像処理は、インデックスグ画像作成部１２４からインデックス信号が供給されていないとき行われる処理である。
【０１１９】
ステップＳ７１において、画像処理部１４１は、ディスク再生装置１２の割り当て部１２３（図５）からの割り当て情報に基づいて、自分自身に割り当てられている表示形態がズーム表示であるかどうかを判定する。例えば、図８に示したテーブルが表す割り当て情報が、割り当て部１２３から供給される場合、ＩＤ番号が「１」の画像処理装置１１−１の画像処理部１４１は、自分自身に割り当てられている表示形態がズーム表示であると判定する。
【０１２０】
ステップＳ７１において、自分自身に割り当てられている表示形態がズーム表示であると判定された場合、ステップＳ７２に進み、画像処理部１４１は、割り当て部１２３からの割り当て情報に基づいて、ズーム範囲を決定する。例えば、自分自身に割り当てられている表示形態が「ズーム４分割（左上）」である場合、ズーム範囲は、マルチアングル画像を４分割した左上の領域となる。
【０１２１】
ステップＳ７２の処理後は、ステップＳ７３に進み、画像処理部１４１は、ステップＳ７２で決定されたズーム範囲にしたがって、マルチアングル画像データに対して、ズーム処理を行う。例えば、自分自身に割り当てられている表示形態が「ズーム４分割（左上）」である場合、マルチアングル画像を４分割した左上の領域に対応するマルチアングル画像データが、４倍にズーム（拡大）される。
【０１２２】
ステップＳ７３の処理後は、ステップＳ７４に進み、画像処理部１４１は、ステップＳ７３でズーム処理されたマルチアングル画像データに対して、ＩＰ変換を行い、出力選択部１４３に供給して、処理を終了する。
【０１２３】
一方、ステップＳ７１において、自分自身に割り当てられている表示形態がズーム表示ではないと判定された場合、ステップＳ７５に進み、画像処理部１４１は、自分自身のモードが動画像を表示する動画モードであるかどうかを判定する。なお、最初の画像データ（１フレーム目の画像データ）が供給されたときには、割り当て部１２３からの割り当て情報に基づいて、自分自身に割り当てられている表示形態が動画像である場合、自分自身のモードを動画モードであると判定する。
【０１２４】
ステップＳ７５において、自分自身のモードが動画像であると判定され場合、ステップＳ７６に進み、画像処理部１４１は、自分自身のモードを静止画モードに切り替えるかどうかを判定する。具体的には、画像処理部１４１は、受光部２１から自分自身以外の画像表示装置１１を指定する動画切替コマンドが供給されたかどうかを判定する。ステップＳ７６において、自分自身のモードを静止画モードに切り替えると判定された場合、即ち、受光部２１から、自分自身以外の画像表示装置１１を指定する動画切替コマンドが供給されたと判定された場合、ステップＳ７７に進み、画像処理部１４１は、自分自身のモードを、静止画像を表示する静止画モードに変更する。
【０１２５】
ステップＳ７７の処理後は、ステップＳ７８に進み、画像処理部１４１は、NTSC/PALエンコーダ８０からのフレーム単位のマルチアングル画像データに対して、ＩＰ変換を行い、ステップＳ７９に進む。ステップＳ７９において、画像処理部１４１は、ＩＰ変換後のマルチアングル画像データを、メモリ１４２に供給し、記憶させ、処理を終了する。メモリ１４２は、記憶している画像データを、出力選択部１４３に供給する。
【０１２６】
一方、ステップＳ７６において、自分自身のモードを静止画モードに切り替えないと判定された場合、即ち受光部２１から自分自身以外の画像表示装置１１を指定する動画切替コマンドが供給されていないと判定された場合、ステップＳ８２に進む。
【０１２７】
また、ステップＳ７５において、自分自身のモードが動画モードではないと判定された場合、ステップＳ８０に進み、画像処理部１４１は、自分自身のモードを動画モードに切り替えるかどうかを判定する。具体的には、画像処理部１４１は、受光部２１から自分自身の画像表示装置１１を指定する動画切替コマンドが供給されたかどうかを判定する。ステップＳ８０において、自分自身のモードを動画モードに切り替えると判定された場合、即ち受光部２１から、自分自身の画像表示装置１１を指定する動画切替コマンドが供給された場合、ステップＳ８１に進む。
【０１２８】
ステップＳ８１において、画像処理部１４１は、自分自身のモードを動画モードに変更し、ステップＳ８２に進む。また、ステップＳ８０において、自分自身のモードを動画モードに切り替えないと判定された場合、即ち受光部２１から自分自身の画像表示装置１１を指定する動画切替コマンドが供給されない場合、ステップＳ８２に進む。
【０１２９】
ステップＳ８２において、画像処理部１４１は、NTSC/PALエンコーダ８０からのフレーム単位の画像データに対して、ＩＰ変換を行い、出力選択部１４３に供給し、処理を終了する。
【０１３０】
なお、図１２では、NTSC/PALエンコーダ８０からマルチアングル画像データが供給されたときに画像処理部１４１が行う画像処理を説明したが、NTSC/PALエンコーダ８０から通常画像データが供給される場合は、例えば、通常画像データの動画像を９分割し、その９分割した動画像をズームして、９個の画像表示装置１１にそれぞれ表示させるように、画像処理部１４１は、図１２のステップＳ７１乃至Ｓ７４の処理を行う。このとき、出力選択部１４３は、画像処理部１４１からの通常画像データを、ディスプレイ１４４に出力し、通常画像を表示させる。
【０１３１】
図１３は、図６の出力選択部１４３が行う出力選択処理を説明するフローチャートである。この出力選択処理は、例えば、画像処理部１４１またはメモリ１４２からマルチアングル画像データが供給されたとき、開始される。
【０１３２】
ステップＳ９１において、出力選択部１４３は、画像処理部１４１からのマルチアングル画像データを出力するかどうかを判定する。例えば、図１０のステップＳ３７でインデックス画像作成部１２４（図５）からインデックス信号が供給されている場合、出力選択部１４３は、そのインデックス信号が画像処理部１４１を表しているかどうかを判定する。また、出力選択部１４３は、受光部２１から動画切替コマンドが供給される場合、割り当て部１２３からの割り当て情報に基づいて、その動画切替コマンドが指定する画像表示装置１１が、自分自身であるかどうかを判定し、自分自身である場合、画像処理部１４１からの画像データを出力すると判定する。一方、動画切替コマンドが指定する画像表示装置１１が、自分自身ではないと判定された場合、画像処理部１４１からの画像データを出力しないと判定する。
【０１３３】
ステップＳ９１において、画像処理部１４１からのマルチアングル画像データを出力すると判定された場合、出力選択部１４３は、画像処理部１４１からのマルチアングル画像データを選択し、ステップＳ９４に進む。
【０１３４】
また、ステップＳ９１において、画像処理部１４１からのマルチアングル画像データを出力しないと判定された場合、ステップＳ９３に進み、出力選択部１４３は、メモリ１４２からのマルチアングル画像データを選択し、ステップＳ９４に進む。
【０１３５】
ステップＳ９４において、出力選択部１４３は、ステップＳ９２またはＳ９３で選択したマルチアングル画像データを、ディスプレイ１４４に出力し、処理を終了する。ディスプレイ１４４は、出力選択部１４３からのマルチアングル画像データに基づいて、画像を表示する。
【０１３６】
図１４は、本発明を適用した画像表示システムの他の実施の形態の構成例を示すブロック図である。
【０１３７】
なお、図３と同一のものには、同一の符号を付してあり、説明は繰り返しになるので省略する。
【０１３８】
図１４の画像表示システム１５１は、画像表示装置１１−１乃至１１−９、受光部１６１、制御部１６２、分配器１６３、および光ディスク３１が装着されるDVDプレーヤ１６４から構成される。
【０１３９】
受光部１６１は、リモートコントローラ１３から送信されてくる制御コマンドを受光し、制御部１６２に供給する。
【０１４０】
制御部１６２は、DVDプレーヤ１６４を制御して、光ディスク３１に記録されている所定の画像データを読み出す（再生する）。制御部１６２のDVDプレーヤ１６４の制御は、ＡＶマウスなどを用いて行うことができる。
【０１４１】
また、制御部１６２は、DVDプレーヤ１６４からの画像データに基づき、各画像表示装置１１に、表示対象と表示形態を割り当て、割り当て情報として、画像表示装置１１に供給する。また、ディスク再生装置１２は、インデックス画像の表示に関する指令を表すインデックス信号を、画像表示装置１１に供給する。
【０１４２】
分配器１６３は、DVDプレーヤ１６４からの画像データを、画像表示装置１１−１乃至１１−９にそれぞれ供給（分配）する。DVDプレーヤ１６４には、光ディスク３１が装着される。DVDプレーヤ１６４は、制御部１６２の制御コマンドにより、光ディスク３１に記録されている画像データを再生し、画像表示装置１１、制御部１６２、および分配器１６３に供給する。
【０１４３】
図１５は、図１４のDVDプレーヤ１６４の詳細構成例を示すブロック図である。
【０１４４】
なお、図４と同一のものには、同一の符号を付してあり、説明は繰り返しになるので省略する。
【０１４５】
システムコントローラ１７１は、制御部１６２の制御により、必要な情報を後処理部５２のメモリ８４に記憶させながら、サーボ用DSP７５を制御して、光ディスク３１に記録されたデータを復調させたり、ＡＶデコーダ７８とDAC８１を制御して、画像データまたは音声データを出力させる。
【０１４６】
図１６は、図１４の制御部１６２の詳細構成例を示すブロック図である。
【０１４７】
図１４の制御部１６２は、マルチアングル判定部１８１、アングル数検出部１８２、割り当て部１８３、インデックス画像作成部１８４、読み出し制御部１８５、記憶部１８６から構成される。
【０１４８】
制御部１６２は、図１４のDVDプレーヤ１６４のNTSC/PALエンコーダ８０からのフレーム単位の画像データを、マルチアングル判定部１８１、アングル数検出部１８２、および割り当て部１８３に供給する。また、制御部１６２は、図１４の受光部１６１から供給される制御コマンドを、読み出し制御部１８５に供給する。
【０１４９】
マルチアングル判定部１８１は、NTSC/PALエンコーダ８０からのフレーム単位の画像データが、マルチアングル画像データであるかどうかを判定する。具体的には、マルチアングル判定部１８１は、画像（データ）に、対応するアングルを特定するアングルマークが付加されているかどうかを判定することにより、画像データがマルチアングル画像データであるかどうかを判定する。そして、マルチアングル判定部１８１は、その判定結果をアングル数検出部１８２と読み出し制御部１８５に供給する。
【０１５０】
アングル数検出部１８２は、マルチアングル判定部１８１からの判定結果に応じて、NTSC/PALエンコーダ８０からのフレーム単位のマルチアングル画像データに基づいて、アングル数を取得する。具体的には、アングル数検出部１８２は、マルチアングル判定部１８１によりマルチアングル画像データであると判定された画像データに付加されているアングルマークを、テンプレートとして記憶部１８６に供給し、記憶させる。
【０１５１】
アングル数検出部１８２は、NTSC/PALエンコーダ８０からのマルチアングル画像データが供給されてから、次にテンプレートのアングルマークと同一のアングルマークが付加されたマルチアングル画像データが供給されるまでに、NTSC/PALエンコーダ８０から供給されるマルチアングル画像データのフレーム数Ｎを検出し、そのフレーム数Ｎをアングル数として取得する。アングル数検出部１８２は、そのアングル数Ｎを割り当て部１８３とインデックス画像作成部１８４に供給する。
【０１５２】
また、アングル数検出部１８２は、読み出し制御部１８５に、DVDプレーヤ１６４が再生する画像データのアングルを切り替えるためのアングル切替コマンドを出力するように指令する。
【０１５３】
割り当て部１８３は、記憶部１８６に記憶されているアスペクト比を検出するための黒画像のテンプレートを読み出し、その黒画像に基づいて、NTSC/PALエンコーダ８０からのフレーム単位のアングルマルチ画像データのアスペクト比を検出する。また、割り当て部１８３は、アングル数検出部１８２からのアングル数Ｎに基づいて、各画像表示装置１１に対して、表示対象と、その表示対象の表示形態とを割り当て、割り当て情報を画像表示装置１１に供給するとともに、その割り当て情報を記憶部１８６に供給して、テーブルとして記憶させる。
【０１５４】
インデックス画像作成部１８４は、アングル数検出部１８２からのアングル数Ｎに基づいて、インデックス画像を作成するためのインデックス画像作成処理を行う。具体的には、インデックス画像作成部１８４は、インデックス画像の作成に関するマルチアングル画像データの読み出しを制御する制御信号を、読み出し制御部１２５に供給する。また、インデックス画像作成部１８４は、記憶部１８６に記憶されているテーブルに基づいて、画像表示装置１１に、インデックス画像の表示に関する指令を表すインデックス信号を供給する。
【０１５５】
読み出し制御部１８５は、アングル数検出部１８２からの指令またはインデックス画像作成部１８４からの制御信号に基づいて、アングル切替コマンドを、システムコントローラ１７１（図１５）に供給し、システムコントローラ１７１を介してサーボ用DSP７５を制御する。また、読み出し制御部１８５は、受光部１６１からの制御コマンドと、記憶部１８６に記憶されているテーブルに基づいて、アングル切替コマンドをシステムコントローラ１７１に供給し、システムコントローラ１７１を介してサーボ用DSP７５を制御する。さらに、読み出し制御部１８５は、受光部１６１から供給される制御コマンドに応じて、記憶部１８６に記憶されているテーブルを変更する。
【０１５６】
記憶部１８６は、アングル数検出部１８２からのアングルマークと、割り当て部１８３からの割り当て情報を表すテーブルとを記憶する。また、記憶部１８６には、例えば、製造元により、製造時に、黒画像がテンプレートとして記憶される。
【０１５７】
図１７は、図１６のマルチアングル判定部１８１の判定処理を説明する図である。
【０１５８】
画像(データ)１９１が、図１５のNTSC/PALエンコーダ８０から供給される場合、マルチアングル判定部１８１は、画像１９１にアングルマークが付加されていないので、NTSC/PALエンコーダ８０から供給される画像１９１(データ)は、通常画像データであると判定する。
【０１５９】
その後、図１６の読み出し制御部１８５は、図１５のシステムコントローラ１７１に、アングル切替コマンドを供給し、システムコントローラ１７１を介してサーボ用DSP７５を制御し、アングルの異なる画像データを再生させる。
【０１６０】
その再生の結果、NTSC/PALエンコーダ８０から、アングルマーク２２１が付加された画像(データ)１９２が供給された場合、マルチアングル判定部１８１は、NTSC/PALエンコーダ８０から供給された画像１９２(データ)は、マルチアングル画像データであると判定する。
【０１６１】
一方、再生の結果、NTSC/PALエンコーダ８０から、アングルマークが付加されていない画像(データ)１９３が供給された場合、マルチアングル判定部１８１は、画像１９３(データ)にアングルマークが付加されていないので、NTSC/PALエンコーダ８０から供給された画像１９３(データ)は、通常画像データであると判定する。
【０１６２】
図１８は、図１６のアングル数検出部１８２のアングル数検出処理を説明する図である。
【０１６３】
NTSC/PALエンコーダ８０から、アングルマーク２２１が付加されたマルチアングル画像(データ)２１１が供給された場合、アングル数検出部１８２は、アングルマーク２２１を記憶部１８６に供給し、テンプレートとして記憶させる。
【０１６４】
その後、アングル数検出部１８２は、読み出し制御部１８５(図１６)に、アングル切替コマンドを出力するように指令する。読み出し制御部１８５は、アングル数検出部１８２からの指令により、図１５のシステムコントローラ１７１にアングル切替コマンドを供給し、システムコントローラ１７１を介してサーボ用DSP７５を制御し、異なるアングルのマルチアングル画像（データ）２１２を再生させる。
【０１６５】
そして、アングル数検出部１８２は、NTSC/PALエンコーダ８０から供給されるマルチアングル画像２１２に付加されたアングルマーク２２２を抽出する。アングル数検出部１８２は、記憶部１８６からテンプレートであるアングルマーク２２１を読み出し、抽出したアングルマーク２２２と比較する。ここで、アングルマーク２２１と２２２は、異なっている。
【０１６６】
アングル数検出部１８２は、アングルマーク２２１と２２２は異なるので、さらに読み出し制御部１８５にアングル切替コマンドを出力するように指令する。以降、上述した場合と同様に、アングル数検出部１８２は、NTSC/PALエンコーダ８０から供給されるマルチアングル画像データに付加されたアングルマークが、テンプレートであるアングルマーク２２１と同一となるまで、NTSC/PALエンコーダ８０から供給されるマルチアングル画像（データ）に付加されたアングルマークと、アングルマーク２２１とを比較する処理を繰り返す。
【０１６７】
ここで、NTSC/PALエンコーダ８０から供給されるマルチアングル画像２１４に付加されたアングルマーク２２４が、アングルマーク２２１と同一であるとする。アングル数検出部１８２は、NTSC/PALエンコーダ８０から供給されるマルチアングル画像(データ)２１４に付加されたアングルマーク２２４と、記憶部１８６から読み出されたアングルマーク２２１が同一であるので、NTSC/PALエンコーダ８０から供給されるマルチアングル画像（データ）に付加されたアングルマークと、アングルマーク２２１とを比較する処理を終了する。
【０１６８】
アングル数検出部１８２は、テンプレートとして記憶部１８６に記憶されるアングルマーク２２１が付加されたマルチアングル画像２１１が、NTSC/PALエンコーダ８０から供給されてから、アングルマーク２２１と同一のアングルマーク２２４が付加されたマルチアングル画像２１４が、NTSC/PALエンコーダ８０から供給されるまでの間に、NTSC/PALエンコーダ８０から供給されるマルチアングル画像のフレーム数Ｎ（図１８の例では、Ｎ＝３）を、アングル数として検出する。
【０１６９】
図１９と図２０は、割り当て部１８３が各画像表示装置１１に、表示対象と表示形態を割り当てる割り当て処理を説明する図である。
【０１７０】
図１９に示す黒画像２３１は、図１６の記憶部１８６に、テンプレートとして記憶されている。黒画像２３１は、１６：９のアスペクト比の領域に対応する領域以外の黒色の領域２４１と、１６：９のアスペクト比の領域に対応する黒色の領域２４２とから構成される。
【０１７１】
割り当て部１８３は、記憶部１８６からテンプレートである黒画像２３１を読み出す。割り当て部１８３は、NTSC/PALエンコーダ８０から供給される画像２３２（入力画像）と黒画像２３１との輝度を比較し、領域２４１の輝度の差が大の場合、画像２３２は４：３のアスペクト比の画像であると判定する。一方、領域２４２の輝度の差が小の場合、画像２３２は、１６：９のアスペクト比の画像であると判定する。但し、領域２４２の輝度の差が小の場合、割り当て部１８３は、画像２３２が、４：３または１６：９のアスペクト比の画像ではないと判定して、例えば、エラー処理を行う。
【０１７２】
割り当て部１８３は、画像２３２が１６：９のアスペクト比の画像であると判定した場合、表示形態としてズーム表示を割り当てる画像表示装置１１を、横長に配置される画像表示装置１１とする。
【０１７３】
このようにして、割り当て部１８３に表示対象と表示形態が割り当てられた場合、画像表示装置１１には、図２０に示すマルチアングル画像が表示される。なお、図１２では、マルチアングル画像のアングル数が３個であり、アングル＃１のマルチアングル画像の動画像と、アングル＃２と＃３のマルチアングル画像の静止画像が表示される。
【０１７４】
図２０では、割り当て部１８３により横長に配置される画像表示装置１１−１乃至１１−６に、表示対象として、アングル＃１のマルチアングル画像が、表示形態としてズーム表示が割り当てられている。即ち、図２０に示すように、画像表示装置１１−１乃至１１−６には、拡大したアングル＃１の動画像の1/6の領域が、それぞれ表示される。
【０１７５】
割り当て部１８３により、画像表示装置１１−７には、表示対象として、アングル＃１のマルチアングル画像が、表示形態として動画表示が割り当てられている。即ち、画像表示装置１１−１には、アングル＃１のマルチアングル画像の動画像が表示される。
【０１７６】
また、割り当て部１８３により、画像表示装置１１−８には、表示対象として、アングル＃２のマルチアングル画像が、画像表示装置１１−９には、表示対象として、アングル＃３のマルチアングル画像が割り当てられている。さらに、割り当て部１８３により、画像表示装置１１−８と１１−９には、それぞれ表示形態として、静止画表示が割り当てられている。即ち、画像表示装置１１−８には、アングル＃２のマルチアングル画像の静止画像が、画像表示装置１１−９には、アングル＃３のマルチアングル画像の静止画像が表示される。
【０１７７】
図２１は、図１６の制御部１６２が光ディスク３１の再生を制御する制御処理を説明するフローチャートである。この制御処理は、マルチアングル判定部１８１（図１６）に、DVDプレーヤ１６４（のNTSC/PALエンコーダ８０）からの画像データが供給されたとき、開始される。
【０１７８】
ステップＳ１１において、マルチアングル判定部１８１は、NTSC/PALエンコーダ８０からのフレーム単位の画像データが、マルチアングル画像データであるかどうかを判定する。具体的には、マルチアングル判定部１８１は、NTSC/PALエンコーダ８０からのフレーム単位の画像データに、アングルマークが付加されているかどうかを判定する。例えば、図１７の画像(データ)１９２がNTSC/PALエンコーダ８０から供給される場合、その画像１９２にはアングルマーク２２１が付加されているので、マルチアングル判定部１８１は、画像（データ）１９２は、マルチアングル画像データであると判定する。一方、図１７の画像(データ)１９３がNTSC/PALエンコーダ８０から供給される場合、その画像（データ）１９３には、アングルマークが付加されていないので、マルチアングル判定部１８１は、画像（データ）１９３は、マルチアングル画像データではない（通常画像データである）と判定する。
【０１７９】
ステップＳ１１１において、NTSC/PALエンコーダ８０からのフレーム単位の画像データが、マルチアングル画像データであると判定された場合、ステップＳ１１２に進み、マルチアングル判定部１２１は、割り当て部１８３により既に画像表示装置１１に表示対象と表示形態が割り当てられているかどうか、即ち直前のステップＳ１１１より前に、NTSC/PALエンコーダ８０からのフレーム単位の画像データが、マルチアングル画像データであると判定したかどうかを判定する。
【０１８０】
ステップＳ１１２において、割り当て部１８３により既に画像表示装置１１に表示対象と表示形態が割り当てられていると判定した場合、即ち直前のステップＳ１１１より前に、NTSC/PALエンコーダ８０からの画像データが、マルチアングル画像データであると判定した場合、ステップＳ１１３乃至Ｓ１１７をスキップして、ステップＳ１１８に進む。
【０１８１】
一方、ステップＳ１１２において、割り当て部１８３により既に画像表示装置１１に表示対象と表示形態が割り当てられていないと判定した場合、即ち直前のステップＳ１１１より前に、NTSC/PALエンコーダ８０からの画像データが、マルチアングル画像データであると判定していない場合、マルチアングル判定部１８１は、ステップＳ１１１で判定した判定結果を、アングル数検出部１８２に供給し、ステップＳ１１３に進む。
【０１８２】
ステップＳ１１３において、アングル数検出部１８２は、NTSC/PALエンコーダ８０からのフレーム単位の画像データであるマルチアングル画像データのアングル数Ｎを検出するアングル数検出処理を行う。このアングル数検出処理の詳細は、図２２のフローチャートを参照して後述する。
【０１８３】
ステップＳ１１３の処理後は、ステップＳ１１４に進み、割り当て部１８３は、NTSC/PALエンコーダ８０からのフレーム単位のマルチアングル画像データに基づいて、マルチアングル画像(データ)のサイズ（アスペクト比）を判定する画像サイズ判定処理を行う。この画像サイズ判定処理の詳細は、図２３のフローチャートを参照して後述する。
【０１８４】
ステップＳ１１４の処理後は、ステップＳ１１５に進み、割り当て部１８３は、アングル数検出部１８２からのアングル数Ｎと、ステップＳ１１４で判定された画像サイズ（アスペクト比）とに基づいて、各画像表示装置１１に対して、表示対象と、その表示対象の表示形態を割り当てる。
【０１８５】
このように、割り当て部１８３は、アングル数Ｎだけでなく、画像サイズにも基づいて、各画像表示装置１１に対する割り当てを行う。従って、マルチアングル画像が、１６：９のアスペクト比の画像である場合、例えば、図２０で説明したように、割り当て部１８３は、横長に配置される画像表示装置１１を、あるアングルの画像の拡大表示に割り当てることができる。これにより、画像表示装置１１に対して、マルチアングル画像に最適な割り当てを行うことができる。
【０１８６】
ステップＳ１１５の処理後は、ステップＳ１１６に進み、割り当て部１８３は、ステップＳ１１５で割り当てた結果を表す割り当て情報を、記憶部１８６にテーブル（図８）として記憶させ、ステップＳ１１７に進む。
【０１８７】
ステップＳ１１７において、インデックス画像作成部１２４は、インデックス画像を作成するインデックス画像作成処理を行う。インデックス画像作成処理の詳細は、図２４のフローチャートを参照して後述する。ステップＳ１１７の処理後は、ステップＳ１１８に進む。
【０１８８】
ステップＳ１１８において、読み出し制御部１２５は、光ディスク３１に記憶されている画像データの読み出しを制御する読み出し制御処理を行う。この読み出し制御処理の詳細は、図２５のフローチャートを参照して後述する。ステップＳ１１８の処理後は、ステップＳ１１１に戻り、上述した処理を繰り返す。
【０１８９】
また、ステップＳ１１１において、NTSC/PALエンコーダ８０からのフレーム単位の画像データが、マルチアングル画像データではないと判定された場合、ステップＳ１１９に進み、読み出し制御部１８５は、システムコントローラ１７１にアングル切替コマンドを供給する。システムコントローラ１７１は、アングル切替コマンドに基づいて、サーボ用DSP７５を制御し、次のフレームの画像データを読み出す。
【０１９０】
図２２は、図２１のステップＳ１１３のアングル検出処理を説明するフローチャートである。
【０１９１】
ステップＳ１３１において、アングル数検出部１８２は、NTSC/PALエンコーダ８０から供給されるマルチアングル画像（データ）に付加されているアングルマークを、テンプレートとして記憶部１８６に記憶させる。例えば、アングル数検出部１８２は、図１８のマルチアングル画像（データ）２１１のアングルマーク２２１を、テンプレートとして記憶部１８６に記憶させる。
【０１９２】
ステップＳ１３２において、アングル数検出部１８２は、フレーム数Ｎを１に設定し、ステップＳ１３３に進む。ステップＳ１３３において、アングル数検出部１８２は、読み出し制御部１８５に、アングル切替コマンドを出力させる。このとき、読み出し制御部１８５は、アングル切替コマンドをシステムコントローラ１７１（図１５）に供給し、システムコントローラ４１を介して、サーボ用DSP７５を制御し、異なるアングルのマルチアングル画像を再生させる。その再生の結果、アングル数検出部１８２には、直前にNTSC/PALエンコーダ８０から供給されたマルチアングル画像データとは異なるアングルのマルチアングル画像データが供給される。
【０１９３】
ステップＳ１３３の処理後は、ステップＳ１３４に進み、アングル数検出部１８２は、ステップＳ１３３において供給されたマルチアングル画像データから、そのマルチアングル画像（データ）に付加されているアングルマークを検出する。例えば、アングル数検出部１８２は、図１８のマルチアングル画像(データ)２１２に付加されているアングルマーク２２２を検出する。
【０１９４】
ステップＳ１３４の処理後は、ステップＳ１３５に進み、アングル数検出部１８２は、記憶部１８６からステップＳ１３１で記憶されたテンプレートのアングルマーク２２１とを読み出し、そのアングルマーク２２１と、ステップＳ１３４で検出されたアングルマークとを比較し、差分を抽出して、ステップＳ１３６に進む。
【０１９５】
ステップＳ１３６において、アングル数検出部１８２は、テンプレートのアングルマーク２２１と、ステップＳ１３５で抽出されたアングルマークとの差分が小であるかどうかを判定し、差分が小ではないと判定した場合、ステップＳ１３７に進む。例えば、ステップＳ１３４で検出されたアングルマークが、図１８のアングルマーク２２２である場合、テンプレートとして記憶部１８６に記憶されているアングルマーク２２１とは異なるので、アングルマーク２２１と２２２の差分は大である（小ではない）。
【０１９６】
ステップＳ１３７において、アングル数検出部１８２は、フレーム数Ｎを１だけインクリメントし、ステップＳ１３３に戻り、上述した処理を繰り返す。
【０１９７】
一方、ステップＳ１３６において、テンプレートのアングルマーク２２１と、ステップＳ１３５で抽出されたアングルマークとの差分が小であると判定された場合、即ちテンプレートのアングル２１１とステップＳ１３５で抽出されたアングルマークとが同一である場合、ステップＳ１３８に進む。ステップＳ１３８において、アングル数検出部１８２は、フレーム数Ｎをアングル数に決定し、アングル数Ｎを割り当て部１８３、インデックス画像作成部１８４、および読み出し制御部１８５に供給する。そして、ステップＳ１３８の処理後は、図２１のステップＳ１１３に戻り、ステップＳ１１４に進む。
【０１９８】
図２３は、図２１のステップＳ１１４の画像サイズ判定処理を説明するフローチャートである。
【０１９９】
ステップＳ１５１において、割り当て部１８３は、記憶部１８６にテンプレートとして記憶されている黒画像２３１（図１９）と、NTSC/PALエンコーダ８０から供給されるマルチアングル画像との輝度の差分を、領域（領域２４１と２４２）ごとに抽出し、ステップＳ１５２に供給する。
【０２００】
ステップＳ１５２において、割り当て部１８３は、ステップＳ１５１で抽出された領域２４２の差分が大であるかどうかを判定する。ステップＳ１５２において、ステップＳ１５１で抽出された領域２４２の差分が大であると判定された場合、割り当て部１８３は、ステップＳ１５３に進み、ステップＳ１５１で抽出された領域２４１の差分が小であるかどうかを判定する。
【０２０１】
ステップＳ１５３において、ステップＳ１５１で抽出された領域２４１の差分が小であると判定された場合、即ちマルチアングル画像の領域２４１に対応する領域が黒色である場合、ステップＳ１５４に進む。ステップＳ１５４において、割り当て部１８３は、マルチアングル画像が１６：９のアスペクト比の画像であると判定し、図２１のステップＳ１１４に戻り、ステップＳ１１５に進む。
【０２０２】
一方、ステップＳ１５３において、ステップＳ１５１で抽出された領域２４１の差分が大であると判定された場合、即ちマルチアングル画像の領域２４１に対応する領域が黒色ではない場合、ステップＳ１５５に進む。ステップＳ１５５において、割り当て部１８３は、マルチアングル画像が４：３のアスペクト比の画像であると判定し、図２１のステップＳ１１４に戻り、ステップＳ１１５に進む。
【０２０３】
また、ステップＳ１５２において、ステップＳ１５１で抽出された領域２４２の差分が大ではないと判定された場合、ステップＳ１５１に戻り、アングル数検出部１８２は、再度黒画像２３１とマルチアングル画像との輝度の差分を抽出する。即ち、マルチアングル画像が１６：９のアスペクト比の画像である場合においても、マルチアングル画像が４：３のアスペクト比の画像である場合においても、マルチアングル画像の領域２４２に対応する領域はすべて黒色ではないので、領域２４２における黒画像２３１とマルチアングル画像の輝度の差は大となる。そこで、割り当て部１８３は、領域２４１における黒画像２３１とマルチアングル画像の輝度の差が小となる場合、エラー処理として、ステップＳ１５１に戻り、再度輝度の差を抽出する。
【０２０４】
図２４は、図２１のステップＳ１１７のインデックス画像作成処理を説明するフローチャートである。
【０２０５】
ステップＳ１７１において、インデックス画像作成部１２４は、図示せぬカウンタのカウント値Ｂを１に設定し、ステップＳ１７２に進む。ステップＳ１７２において、インデックス画像作成部１２４は、カウント値Ｂが、図２２のステップＳ１３８でアングル数取得部１２２から供給されるアングル数Ｎ以下であるかどうかを判定する。
【０２０６】
ステップＳ１７２において、カウント値Ｂが、アングル数Ｎ以下であると判定された場合、ステップＳ１７３に進み、インデックス画像作成部１８４は、アングル＃Ｂのマルチアングル画像データ、即ちいま画像表示装置１１に供給されているマルチアングル画像データの書き込みを指令するインデックス信号を、画像表示装置１１に供給する。
【０２０７】
ステップＳ１７３の処理後は、ステップＳ１７４に進み、インデックス画像作成部１８４は、読み出し制御部１８５に、制御信号を供給し、アングル切替コマンドを出力させ、ステップＳ１７５に進む。
【０２０８】
ステップＳ１７５において、インデックス画像作成部１８４は、カウント値Ｂを１だけインクリメントし、ステップＳ１７２に戻る。
【０２０９】
ステップＳ１７２において、カウント値Ｂが、アングル数Ｎ以下ではない、即ちアングル数Ｎより大きいと判定された場合、即ちすべてのアングルのマルチアングル画像データが、アングルごとに、そのアングルのマルチアングル画像データが表示対象として割り当てられた各画像表示装置１１のメモリ１４２に記憶された場合、ステップＳ１７６に進み、インデックス画像作成部１８４は、記憶部１８６からテーブルを読み出す。インデックス画像作成部１２４は、テーブルが表す割り当て情報に基づいて、各画像表示装置１１（の出力選択部１４３）に、メモリ１４２からのマルチアングル画像データ、または画像処理部１４１からのマルチアングル画像データのいずれかの出力を指令するインデックス信号を供給し、図２１のステップＳ１１７に戻り、ステップＳ１１８に進む。
【０２１０】
図２５は、図２１のステップＳ１１８の読み出し制御処理を説明するフローチャートである。
【０２１１】
ステップＳ１９１において、読み出し制御部１２５は、受光部２１から、割り当てられている表示形態を「動画表示」に変更する画像表示装置１１を指定する動画切替コマンドが供給されたかどうかを判定する。
【０２１２】
ステップＳ１９１において、受光部２１から動画切替コマンドが供給されていないと判定された場合、即ちDVDプレーヤ１６４が再生するマルチアングル画像データのアングルを変更する必要がない場合、ステップＳ１９２乃至Ｓ１９４をスキップして、図２１のステップ１１８に戻る。
【０２１３】
また、ステップＳ１９１において、受光部２１から動画切替コマンドが供給されていると判定された場合、即ちDVDプレーヤ１６４が再生するマルチアングル画像データのアングルを変更する必要がある場合、ステップＳ１９２に進み、読み出し制御部１８５は、受光部２１からの動画切替コマンドに基づいて、記憶部１８６に記憶されているテーブルを変更する。
【０２１４】
ステップＳ１９２の処理後は、ステップＳ１９３に進み、読み出し制御部１８５は、アングル切替回数Ｓを決定する。例えば、受光部２１から画像表示装置１１−９を指定する動画切替コマンドが供給される場合、読み出し制御部１８５は、記憶部１８６からテーブルを読み出し、画像表示装置１１−９のＩＤ番号「９」に対応付けられているアングル番号「３」を認識する。そして、いまDVDプレーヤ１６４によりアングル＃１のマルチアングル画像データが再生されている場合、読み出し制御部１８５は、アングル切替回数Ｓを、アングル＃１から＃３までのアングル数の２（＝３−１）に決定する。
【０２１５】
ステップＳ１９３の処理後は、ステップＳ１９４に進み、読み出し制御部１８５は、アングル切替コマンドを、システムコントローラ１７１に、ステップＳ１９３で決定したアングル切替回数Ｓ回出力し、図２１のステップＳ１１８に戻る。
【０２１６】
以上のように、図３のディスク再生装置では、アングル数取得部１２２（図５）が、マルチアングル画像のアングル数を取得し、割り当て部１２３が、そのアングル数に基づいて、画像表示装置１１−１乃至１１−９それぞれに対して、複数のマルチアングル画像データのいずれかを、表示対象として割り当てるとともに、その表示対象の表示形態を割り当てる。そして、割り当て部１２３が、画像表示装置１１−１乃至１１−９に、割り当て結果を表す割り当て情報を供給し、画像表示装置１１−１乃至１１−９それぞれに、割り当てられた表示対象を、割り当てられた表示形態で表示させるので、複数のアングルのマルチアングル画像を、画像表示装置１１−１乃至１１−９に効率的に表示させることができる。
【０２１７】
なお、上述した説明では、画像表示装置１１の個数を９個としたが、画像表示装置１１の個数はこれに限定されない。
【０２１８】
次に、上述した一連の処理は、専用のハードウェアにより行うこともできるし、ソフトウェアにより行うこともできる。一連の処理をソフトウェアによって行う場合には、そのソフトウェアを構成するプログラムが、専用のハードウェアに組み込まれているコンピュータ、または各種のプログラムをインストールすることで、各種の昨日を実行することが可能な、例えば汎用のコンピュータなどに、ネットワークや記録媒体からインストールされる。
【０２１９】
この記録媒体は、図４または図１５に示されるように、装置本体とは別に、ユーザにプログラムを提供するために配布される、プログラムが記憶されている磁気ディスク、光ディスク、光磁気ディスク、もしくは半導体メモリなどよりなるパッケージメディアにより構成される。
【０２２０】
なお、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２２１】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０２２２】
【図１】従来のDVDプレーヤにおいて、ユーザが、表示対象のマルチアングル画像のアングルを変更するために行う操作を説明する。
【図２】本発明を適用した画像表示システムの外観構成例を示す図である。
【図３】図２の画像表示システムの機能的構成例を示すブロック図である。
【図４】図３のディスク再生装置の詳細構成例を示すブロック図である。
【図５】図４のシステムコントローラの詳細構成例を示すブロック図である。
【図６】図３の画像表示装置の詳細構成例を示すブロック図である。
【図７】図３の画像表示装置に表示されるマルチアングル画像の例を示す図である。
【図８】図４のメモリに記憶されるテーブルの例を示す図である。
【図９】図４のディスク再生装置の光ディスクを再生する再生処理を説明するフローチャートである。
【図１０】図９のステップＳ１６のインデックス画像作成処理を説明するフローチャートである。
【図１１】図９のステップＳ１７の読み出し制御処理を説明するフローチャートである。
【図１２】図６の画像処理部の画像処理を説明するフローチャートである。
【図１３】図６の出力選択部が行う出力選択処理を説明するフローチャートである。
【図１４】本発明を適用した画像表示システムの他の実施の形態の構成例を示すブロック図である。
【図１５】図１４のDVDプレーヤの詳細構成例を示すブロック図である。
【図１６】図１４の制御部の詳細構成例を示すブロック図である。
【図１７】図１６のマルチアングル判定部の判定処理を説明する図である。
【図１８】図１６のアングル数検出部のアングル数検出処理を説明する図である。
【図１９】割り当て部が各画像表示装置に、表示対象と表示形態を割り当てる割り当て処理を説明する図である。
【図２０】割り当て部が各画像表示装置に、表示対象と表示形態を割り当てる割り当て処理を説明する図である。
【図２１】図１６の制御部が光ディスクの再生を制御する制御処理を説明するフローチャートである。
【図２２】図２１のステップＳ１１３のアングル検出処理を説明するフローチャートである。
【図２３】図２１のステップＳ１１４の画像サイズ判定処理を説明するフローチャートである。
【図２４】図２１のステップＳ１１７のインデックス画像作成処理を説明するフローチャートである。
【図２５】図２１のステップＳ１１８の読み出し制御処理を説明するフローチャートである。
【符号の説明】
【０２２３】
１１  画像表示装置，  １２  ディスク再生装置，  １３  リモートコントローラ，  ２１  受光部，  ３１  光ディスク，  ８３  システムコントローラ，  １００  ドライブ，  １０１  リムーバブル記録媒体，  １２１  マルチアングル判定部，  １２２  アングル数取得部，  １２３  割り当て部，  １２４  インデックス画像作成部，  １２５  読み出し制御部，  １４１  画像処理部，  １４２  メモリ，  １４３  出力選択部，  １６１  受光部，  １６２  制御部，  １６３  分配器，  １６４  DVDプレーヤ，  １８１  マルチアングル判定部，  １８２  アングル数検出部，  １８３  割り当て部，  １８４  インデックス画像作成部，  １８５  読み出し制御部，  １８６  記憶部
【図１】
2006042134.tif 000003
【図２】
2006042134.tif 000004
【図３】
2006042134.tif 000005
【図４】
2006042134.tif 000006
【図５】
2006042134.tif 000007
【図６】
2006042134.tif 000008
【図７】
2006042134.tif 000009
【図８】
2006042134.tif 000010
【図９】
2006042134.tif 000011
【図１０】
2006042134.tif 000012
【図１１】
2006042134.tif 000013
【図１２】
2006042134.tif 000014
【図１３】
2006042134.tif 000015
【図１４】
2006042134.tif 000016
【図１５】
2006042134.tif 000017
【図１６】
2006042134.tif 000018
【図１７】
2006042134.tif 000019
【図１８】
2006042134.tif 000020
【図１９】
2006042134.tif 000021
【図２０】
2006042134.tif 000022
【図２１】
2006042134.tif 000023
【図２２】
2006042134.tif 000024
【図２３】
2006042134.tif 000025
【図２４】
2006042134.tif 000026
【図２５】
2006042134.tif 000027